(57)【要約】【課題】手の大きさに影響されることなく、グリップ部を安定して把持すること。【解決手段】ボトル軸Ｏに沿って口部２、肩部３、胴部４及び底部５が連設され、胴部のうち、ボトル軸を径方向に挟んで互いに対向する側面領域Ｅ１に指当用凹部１０がそれぞれ形成されたピンチグリップ式のボトル型容器であって、胴部のうち、胴部の背面領域Ｅ２を含む一対の指当用凹部間に位置する全領域がボトル軸方向に沿って延びたグリップ部２０とされ、グリップ部は、一対の指当用凹部が互いに対向する左右方向Ｌ１に、所定のグリップ幅Ｗ１を有する上グリップ部２５と、上グリップ部の下方に配置され、左右方向のグリップ幅Ｗ２が上グリップ部よりも短い下グリップ部２６と、備えるボトル型容器１を提供する。【選択図】図３
2018016397.tif 000002
【特許請求の範囲】
【請求項１】
ボトル軸に沿って口部、肩部、胴部及び底部が連設され、前記胴部のうち、ボトル軸を径方向に挟んで互いに対向する側面領域に指当用凹部がそれぞれ形成されたピンチグリップ式のボトル型容器であって、
前記胴部のうち、前記胴部の背面領域を含む一対の前記指当用凹部間に位置する全領域が、ボトル軸方向に沿って延びたグリップ部とされ、
前記グリップ部は、
一対の前記指当用凹部が互いに対向する左右方向に、所定のグリップ幅を有する上グリップ部と、
前記上グリップ部の下方に配置され、左右方向のグリップ幅が前記上グリップ部よりも短い下グリップ部と、備えている、ボトル型容器。
【請求項２】
請求項１に記載のボトル型容器において、
前記下グリップ部のボトル軸方向に沿ったグリップ長さは、前記上グリップ部のボトル軸方向に沿ったグリップ長さよりも長い、ボトル型容器。
【請求項３】
請求項１又は２に記載のボトル型容器において、
前記上グリップ部のグリップ幅は、５０ｍｍ〜８０ｍｍの範囲内とされ、
前記下グリップ部のグリップ幅は、４０ｍｍ〜７０ｍｍの範囲内とされている、ボトル型容器。
【発明の詳細な説明】
【技術分野】
【０００１】
本発明は、ボトル型容器に関する。
【背景技術】
【０００２】
この種のボトル型容器として、従来から胴部にグリップ部が形成されたピンチグリップ式ボトル型容器が知られている（例えば下記特許文献１参照）。
このボトル型容器では、胴部のうち、ボトル軸を径方向に挟んで互いに対向する側壁部分に一対の指当用凹部が陥没形成され、胴部のうち、一対の指当用凹部間に位置する背壁部分を含む指当用凹部の相互間の全領域がグリップ部とされている。従って、グリップ部に手の平を当てながら、指当用凹部内に指先を引っ掛けるようにグリップ部を把持することが可能とされている。
【先行技術文献】
【特許文献】
【０００３】
【特許文献１】特開２０１３−１３３１５５号公報
【発明の概要】
【発明が解決しようとする課題】
【０００４】
しかしながら、上記従来のボトル型容器では、手が小さい場合、指先が指当用凹部まで届き難く、指当用凹部内への指先の進入が浅くなり易かった。そのため、指当用凹部に指先を十分に引っ掛けることができず、グリップ部の把持が困難になる場合があった。
【０００５】
本発明は、このような事情に鑑みてなされたものであって、その目的は、手の大きさに影響されることなく、グリップ部を安定して把持することができるピンチグリップ式のボトル型容器を提供することである。
【課題を解決するための手段】
【０００６】
（１）本発明に係るボトル型容器は、ボトル軸に沿って口部、肩部、胴部及び底部が連設され、前記胴部のうち、ボトル軸を径方向に挟んで互いに対向する側面領域に指当用凹部がそれぞれ形成されたピンチグリップ式のボトル型容器であって、前記胴部のうち、前記胴部の背面領域を含む一対の前記指当用凹部間に位置する全領域が、ボトル軸方向に沿って延びたグリップ部とされ、前記グリップ部は、一対の前記指当用凹部が互いに対向する左右方向に、所定のグリップ幅を有する上グリップ部と、前記上グリップ部の下方に配置され、左右方向のグリップ幅が前記上グリップ部よりも短い下グリップ部と、備える。
【０００７】
本発明に係るボトル型容器によれば、上グリップ部及び下グリップ部のグリップ幅が異なっているので、手の大きさに合わせて握る位置を選択することができる。
例えば、手が小さい場合には、グリップ幅が短い下グリップ部を把持することにより、指当用凹部まで余裕を持って指先を到達させることができる。従って、指当用凹部内に指先を深く進入させ易くなるので、指当用凹部に指先を十分に引っ掛けることができる。このとき、上グリップ部と下グリップ部との間に形成された下方を向く段部に対して、例えば指の腹の部分を下方から当ててボトル型容器を支持することができる。これらのことから、下グリップ部を強く把持することができ、ボトル型容器の持ち運び等を安定して行うことができる。
【０００８】
なお、手が大きい場合には、上グリップ部を把持することで、上述した場合と同様に上グリップ部を強く把持することができる。このとき、上グリップ部だけを把持するのではなく、上グリップ部及び下グリップ部を共に把持することも可能である。例えば人差し指及び中指で上グリップ部を把持し、且つ薬指及び小指で下グリップ部を把持することが可能である。この場合には、指当用凹部を画成する内壁面のうち、上側に位置して下方を向く上方内壁面に人差し指を引っ掛け、且つ上グリップ部と下グリップ部との間の上記段部に薬指を引っ掛けることが可能になるので、より一層安定且つ確実にボトル型容器の持ち運び等を行うことができる。
【０００９】
上述のように、手の大きさに合わせて上グリップ部及び下グリップ部を選択して握ることができるので、手の大きさに影響されることなく、グリップ部を安定且つ確実に把持することができる。
【００１０】
（２）前記下グリップ部のボトル軸方向に沿ったグリップ長さは、前記上グリップ部のボトル軸方向に沿ったグリップ長さよりも長くても良い。
【００１１】
この場合には、下グリップ部をボトル型容器の口部寄りに配置させ易くなるので、下グリップ部がボトル型容器の底部側に偏って配置されてしまうことを抑制することができる。従って、下グリップ部を把持した際に、ボトル型容器が例えばぐらつく等して不安定になることを抑え易い。また、ボトル型容器の口部寄りに下グリップ部を配置できるので、例えば口部を通じて内容物を注出する際に、ボトル型容器の姿勢を安定に維持し易い。
【００１２】
（３）前記上グリップ部のグリップ幅は、５０ｍｍ〜８０ｍｍの範囲内とされ、前記下グリップ部のグリップ幅は、４０ｍｍ〜７０ｍｍの範囲内とされても良い。
【００１３】
この場合には、例えば内容量が２．７リットルや４リットル等の大容量タイプのボトル型容器として好適に利用できる。
【発明の効果】
【００１４】
本発明に係るボトル型容器によれば、手の大きさに合わせて上グリップ部及び下グリップ部を選択して握ることができるので、手の大きさに影響されることなく、グリップ部を安定且つ確実に把持することができる。
【図面の簡単な説明】
【００１５】
【図１】本発明に係るボトル型容器の実施形態を示す側面図である。
【図２】図１に示すボトル型容器を正面領域側から見た正面図である。
【図３】図１に示すボトル型容器を背面領域側から見た背面図である。
【図４】図１に示すボトル型容器の上面図である。
【図５】図１に示すＡ−Ａ線に沿ったボトル型容器の横断面図である。
【図６】図１に示すＢ−Ｂ線に沿ったボトル型容器の横断面図である。
【発明を実施するための形態】
【００１６】
以下、本発明に係るボトル型容器の実施形態について図面を参照して説明する。
図１〜図４に示すように、本実施形態のボトル型容器１は、ボトル軸Ｏに沿って口部２、肩部３、胴部４及び底部５が、この順に連設されたピンチグリップ式の合成樹脂製ボトルである。
以下、ボトル軸Ｏ方向に沿って口部２側を上側、底部５側を下側という。また、ボトル軸Ｏ方向から見た平面視で、ボトル軸Ｏに直交する方向を径方向といい、ボトル軸Ｏ回りに周回する方向を周方向という。
【００１７】
ボトル型容器１は、例えばパリソンを利用した押出しブロー成形や、有底筒状に形成されたプリフォームを利用した２軸延伸ブロー成形等を含むブロー成形によって形成される。ボトル型容器１の内容量は特定の量に限定されるものではなく、例えば２．７リットルや４リットル等の大容量としても構わないし、１．８リットルや１リットル以下の小容量としても構わない。
【００１８】
なお、合成樹脂としては、例えばポリエチレンテレフタレート（ＰＥＴ）、ポリエチレンナフタレート、非晶性ポリエステル等や、これらのブレンド材料等が挙げられる。但し、本実施形態のボトル型容器１は、１種類の合成樹脂により形成される場合に限定されるものではなく、異種の合成樹脂を積層することで形成されても構わない。
例えば、主材樹脂及びバリア性樹脂の２種類の合成樹脂を積層することでボトル型容器１を形成しても構わない。この場合、主材樹脂としては、例えば上述したＰＥＴ等の樹脂が挙げられる。また、バリア性樹脂は、例えばガス（酸素や二酸化炭素等）や、湿気等の水分や、紫外線等の光や、香り等の匂い成分等が主材樹脂を透過することを規制するバリア性を有する樹脂であり、バリアする対象物に応じて適宜選択される樹脂とされる。例えば、ガスに対するバリア性を発揮させる場合には、ナイロン系樹脂やエチレンビニルアルコール共重合体樹脂等が挙げられ、水分に対するバリア性を発揮させる場合には、環状ポリオレフィン系樹脂等が挙げられる。
【００１９】
肩部３は、胴部４の上端部から上方に向かうに従い漸次縮径するように形成されている。口部２は、肩部３の上端部から上方に向けて延びている。口部２の外周面には、図示しないキャップが螺着されるねじ部２ａが形成されている。但し、ねじ部２ａに限定されるものではなく、例えばキャップをアンダーカット嵌合させる嵌合突起が口部２の外周面に形成されていても構わない。
【００２０】
胴部４のうち、ボトル軸Ｏを径方向に挟んで互いに対向する側面領域Ｅ１には、一対の指当用凹部１０がそれぞれ形成されている。胴部４のうち、胴部４の背面領域Ｅ２を含む一対の指当用凹部１０間に位置する全領域がグリップ部２０とされている。
【００２１】
なお、胴部４において、ボトル軸Ｏを挟んで背面領域Ｅ２とは径方向の反対側に位置する領域を正面領域Ｅ３という。そして、径方向のうち一対の指当用凹部１０が互いに対向する方向を左右方向Ｌ１といい、背面領域Ｅ２と正面領域Ｅ３とを結んだ方向を左右方向Ｌ１に直交する前後方向Ｌ２という。さらに、前後方向Ｌ２に沿う背面領域Ｅ２側を後方といい、正面領域Ｅ３側を前方という。
【００２２】
指当用凹部１０は、図１、図３、図５及び図６に示すように左右方向Ｌ１に沿って容器内側に凹むように陥没形成されている。図示の例では、指当用凹部１０はボトル型容器１におけるボトル軸Ｏ方向の中央部分よりも若干上方に位置するように配置され、側面領域Ｅ１側から見た側面視でボトル軸Ｏ方向に長い縦長の長方形状に形成されている。
【００２３】
指当用凹部１０は、底面１１と、底面１１の外周縁部から容器外側に向けて立ち上がる４つの内壁面と、で画成されている。４つの内壁面のうち、下方を向く内壁面が上方内壁面１２とされ、上方を向く内壁面が下方内壁面１３とされ、後方を向く内壁面が前方内壁面１４とされ、前方を向く内壁面が後方内壁面１５とされている。
【００２４】
一対の指当用凹部１０のそれぞれの底面１１は、互いに左右方向Ｌ１に対向して配置されている。図示の例では、底面１１は前後方向Ｌ２に沿って平行に配置されているが、この場合に限定されるものではない。上方内壁面１２及び下方内壁面１３は、底面１１から容器外側に向かうに従い漸次互いに離間するように傾斜している。後方内壁面１５及び前方内壁面１４は、底面１１から容器外側に向かうに従い漸次互いに離間するように傾斜している。
【００２５】
胴部４の側面領域Ｅ１には、指当用凹部１０の外周縁部から離れるに従い漸次容器外側に向けて延びる連結壁部３０が形成されている。連結壁部３０は、上方内壁面１２、下方内壁面１３及び前方内壁面１４をそれぞれ上方、下方及び前方から取り囲むように配置されている。
【００２６】
連結壁部３０のうち上方内壁面１２の上方に位置する上側壁部３１は、上方内壁面１２の上端部から容器外側に向かうに従い漸次上方に向けて傾斜している。連結壁部３０のうち下方内壁面１３の下方に位置する下側壁部３２は、下方内壁面１３の下端部から容器外側に向かうに従い漸次下方に向けて傾斜している。さらに、連結壁部３０のうち前方内壁面１４の前方に位置する前方壁部３３は、前方内壁面１４の前端部から容器外側に向かうに従い漸次前方に向けて傾斜している。
【００２７】
グリップ部２０は、一対の指当用凹部１０に対応してボトル軸Ｏ方向に沿って縦長に形成されている。グリップ部２０は、背面領域Ｅ２において胴部４の一部を形成すると共に、周方向に沿って延びた第１グリップ壁部２１と、第１グリップ壁部２１の周端部と、一対の指当用凹部１０における後方内壁面１５の後端部と、を連結する一対の第２グリップ壁部２２と、備えている。
【００２８】
図５及び図６に示すように、一対の第２グリップ壁部２２は左右方向Ｌ１に対向するように配置されている。第２グリップ壁部２２は、後方内壁面１５の後端部から前後方向Ｌ２に沿って後方に向けて延びた後、湾曲しながら第１グリップ壁部２１の周端部に対して滑らかに接続されている。
【００２９】
図１、図３、図５及び図６に示すように、本実施形態のグリップ部２０は、左右方向Ｌ１に沿ったグリップ幅が異なる上グリップ部２５及び下グリップ部２６を備えている。
上グリップ部２５は、グリップ部２０のうち口部２側に配設され、所定のグリップ幅Ｗ１を有している。下グリップ部２６は、上グリップ部２５の下方に配設され、上グリップ部２５のグリップ幅Ｗ１よりも短いグリップ幅Ｗ２で形成されている。
【００３０】
このように、上グリップ部２５のグリップ幅Ｗ１よりも下グリップ部２６のグリップ幅Ｗ２が短いので、上グリップ部２５と下グリップ部２６との間には、下方を向く段部２７が形成されている。
図示の例では、段部２７は、上グリップ部２５の第２グリップ壁部２２と、下グリップ部２６の第２グリップ壁部２２との間に形成されている。この際、段部２７は上グリップ部２５における第２グリップ壁部２２の下端部から左右方向Ｌ１に沿って延び、且つ下グリップ部２６における第２グリップ壁部２２の上端部に向かうに従い漸次下方に向けて延びるように傾斜している。但し、段部２７は傾斜している場合に限定されるものではなく、ボトル軸Ｏに対して直交するように形成されても構わない。
【００３１】
さらに下グリップ部２６は、ボトル軸Ｏ方向に沿ったグリップ長さＨ２が、上グリップ部２５のボトル軸Ｏ方向に沿ったグリップ長さＨ１よりも長く形成されている。図示の例では、下グリップ部２６のグリップ長さＨ２は、上グリップ部２５のグリップ長さＨ１の２倍程度の長さとされている。
【００３２】
但し、上グリップ部２５及び下グリップ部２６のグリップ長さは、上述した比率に限定されるものではなく、適宜変更して構わない。
例えば、下グリップ部２６のグリップ長さＨ２を、上グリップ部２５のグリップ長さＨ１の３倍以上長くしても構わない。さらには、下グリップ部２６のグリップ長さＨ２を、上グリップ部２５のグリップ長さＨ１よりも短くしても構わないし、同じ長さとしても構わない。
【００３３】
図１〜図４に示すように、ボトル型容器１には、容器内の減圧に伴う変形を抑制、或いは防止するための複数の減圧吸収パネルや、剛性を高めるための複数の凹リブ、凹溝が形成されている。
【００３４】
具体的には、肩部３と胴部４との接続部分には、第１環状凹溝４０が全周に亘って連続して形成されている。また、胴部４と底部５との接続部分には、第２環状凹溝４１が全周に亘って連続して形成されている。
【００３５】
肩部３には、第１減圧吸収パネル部４２が周方向に間隔をあけて複数形成されている。第１減圧吸収パネル部４２は、肩部３の外周面に沿って、上方から下方に向かうに従い漸次周方向の長さが長くなる扇状に形成されている。図示の例では、第１減圧吸収パネル部４２の上端部は、上方に向けて突の曲線状に形成され、下端部は下方に向けて突の曲線状に形成されている。
なお、第１減圧吸収パネル部４２の形状や個数は、上述した場合に限定されるものではなく、適宜変更して構わない。
【００３６】
胴部４のうち、一対の指当用凹部１０の下方に位置する部分には、第２減圧吸収パネル部４３がそれぞれ形成されている。第２減圧吸収パネル部４３は、側面領域Ｅ１側から見た側面視で、ボトル軸Ｏ方向よりも前後方向Ｌ２に長い概略矩形状に形成されている。
第２減圧吸収パネル部４３の上端部は、上述した連結壁部３０の下側壁部３２を介して指当用凹部１０における下方内壁面１３の下端部に接続されている。
【００３７】
胴部４のうち、背面領域Ｅ２においてグリップ部２０の下方に位置する部分には、第３減圧吸収パネル部４４が形成されている。第３減圧吸収パネル部４４は、背面領域Ｅ２側から見た背面視で、左右方向Ｌ１よりもボトル軸Ｏ方向に長い長方形状に形成されている。第３減圧吸収パネル部４４の上端部は、上方に向かうに従い漸次周方向の長さが短く形成されている。
なお、上述した第２減圧吸収パネル部４３は、第３減圧吸収パネル部４４におけるボトル軸Ｏ方向の中央部分と、第３減圧吸収パネル部４４における下端部との間の高さ範囲内に収まるように配置されている。
【００３８】
胴部４のうち、第２減圧吸収パネル部４３と第２環状凹溝４１との間に位置する部分には、周方向に沿って延びた第１周溝４５が形成されている。第１周溝４５は、一対の側面領域Ｅ１及び正面領域Ｅ３に亘って形成され、その周端部は第２減圧吸収パネル部４３の下方に位置している。
【００３９】
胴部４の正面領域Ｅ３には、周方向に沿って延びた第２周溝４６が形成されている。図示の例では、第２周溝４６は、連結壁部３０に達しない程度の長さとされ、ボトル軸Ｏ方向に間隔をあけて複数形成されている。
第１グリップ壁部２１には、周方向に沿って延びた第３周溝４７が形成されている。図示の例では、第３周溝４７はボトル軸Ｏ方向に間隔をあけて複数形成されている。なお、第３周溝４７は第２グリップ壁部２２に達する長さであっても、達しない長さであっても構わない。
底部５には、径方向に沿って延びた凹リブ４８が形成されている。図示の例では、凹リブ４８は周方向に間隔をあけて複数形成され、例えばボトル軸Ｏを中心に放射状に配置されている。
【００４０】
（ボトル型容器の作用）
次に、上述のように構成されたボトル型容器１を使用する場合について説明する。
本実施形態のボトル型容器１は、上グリップ部２５及び下グリップ部２６のグリップ幅が異なっているので、手の大きさに合わせて握る位置を選択することができる。
【００４１】
例えば、手が小さい人の場合には、グリップ幅Ｗ２が短い下グリップ部２６を選択することができる。
この場合には、下グリップ部２６を把持した際に、グリップ幅Ｗ２が短いので指当用凹部１０に余裕を持って指先を到達させることができる。従って、指当用凹部１０内に指先を深く進入させ易くなり、指当用凹部１０に指先を十分に引っ掛けることができる。また、上グリップ部２５と下グリップ部２６との間に下方を向いて形成される段部２７に対して、指の腹の部分を下方から当てて、ボトル型容器１を支持することができる。これらのことから、手の小さい人であっても、下グリップ部２６を強く把持することができ、ボトル型容器１の安定した持ち上げや持ち運びを行うことができる。
【００４２】
一方、手が大きい人の場合には、グリップ幅Ｗ１が長い上グリップ部２５を選択することができ、上述した場合と同様に上グリップ部２５を強く把持することができる。
なお、手が大きい人の場合には、上グリップ部２５だけを把持するだけでなく、上グリップ部２５及び下グリップ部２６の両方を把持しても構わない。例えば、人差し指及び中指で上グリップ部２５を把持し、且つ薬指及び小指で下グリップ部２６を把持しても良い。この場合には、指当用凹部１０の上方内壁面１２に対して人差し指を下方から引っ掛け、且つ上グリップ部２５と下グリップ部２６との間の段部２７に対して薬指を下方から引っ掛けることができるので、より一層安定且つ確実にボトル型容器１の持ち運び等を行うことができる。
【００４３】
上述したように、本実施形態のボトル型容器１によれば、手の大きさに合わせて上グリップ部２５及び下グリップ部２６を選択して握ることができるので、手の大きさに影響されることなくグリップ部２０を安定且つ確実に把持することができる。
【００４４】
さらに、本実施形態では、下グリップ部２６のグリップ長さＨ２が上グリップ部２５のグリップ長さＨ１よりも長いので、下グリップ部２６がボトル型容器１の底部５側に偏って配置されてしまうことを抑制することができる。そのため、下グリップ部２６を把持した際に、ボトル型容器１が例えばぐらつく等して不安定になることを抑え易い。
また、ボトル型容器１の口部２寄りに下グリップ部２６を配置できるので、例えば口部２を通じて内容物を注出する際に、ボトル型容器１の姿勢を安定に維持し易い。従って、例えば手の小さい子供や女性であっても内容物の注出を容易に行い易い。
【００４５】
なお、指当用凹部１０の深さは特に限定されるものではないが、指当用凹部１０を深く形成した場合には、下グリップ部２６を把持した際に指先を指当用凹部１０内に十分に進入させることが可能になるので、より一層上述した作用効果を奏功することができる。
なお、指当用凹部１０の深さとしては、例えば背面領域Ｅ２側から見た背面視で、一対の指当用凹部１０の底面１１同士間の左右方向Ｌ１に沿った間隔が、下グリップ部２６のグリップ幅Ｗ２よりも１０ｍｍ以上短くなるように形成することが好ましい。つまり、グリップ部２０における第２グリップ壁部２２の前端部から、左右方向Ｌ１に５ｍｍ以上陥没するように指当用凹部１０をそれぞれ形成することが好ましい。
【００４６】
なお、本発明の技術範囲は、上記実施形態に限定されるものではなく、本発明の趣旨を逸脱しない範囲において、種々の変更を加えることが可能である。
【００４７】
例えば、上記実施形態において、上グリップ部２５及び下グリップ部２６のグリップ幅やグリップ長さは、特に限定されるものではなく、例えば内容量等に応じて適宜変更して構わない。
例えば、上グリップ部２５のグリップ幅Ｗ１を５０ｍｍ〜８０ｍｍの範囲内とし、下グリップ部２６のグリップ幅Ｗ２を、上グリップ部２５のグリップ幅Ｗ１よりも短く、且つ４０ｍｍ〜７０ｍｍの範囲内とすることで、内容量が２．７リットルや４リットル等の大容量タイプのボトル型容器１として利用できる。この場合、グリップ部２０全体のグリップ長さを６０ｍｍ以上とし、上グリップ部２５のグリップ長さＨ１を３０ｍｍ以上とすることがより好ましい。
【００４８】
また、上記実施形態では、グリップ幅を２段階に変化させたが、例えば下グリップ部２６を、上グリップ部２５よりもグリップ幅が短い第１下グリップ部と、第１下グリップ部よりもさらにグリップ幅が短い第２下グリップ部と、で構成し、グリップ幅を３段階に変化させる等、多段階に変化させても構わない。
【００４９】
また、上記実施形態において、胴部４の横断面視形状は自由に変更して構わない。例えば、胴部４の横断面視で、ボトル軸Ｏから前後方向Ｌ２（径方向）に沿った背面領域Ｅ２までの第１距離Ａ１と、ボトル軸Ｏから前後方向Ｌ２に沿った正面領域Ｅ３までの第２距離Ｂ１と、の関係が、（第１距離Ａ１＝第２距離Ｂ１）、或いは（第１距離Ａ１＜第２距離Ｂ１）の関係を満たすように胴部４を形成することが好ましい。
【符号の説明】
【００５０】
Ｏ…ボトル軸
Ｅ１…側面領域
Ｅ２…背面領域
Ｈ１…上グリップ部のグリップ長さ
Ｈ２…下グリップ部のグリップ長さ
Ｗ１…上グリップ部のグリップ幅
Ｗ２…下グリップ部のグリップ幅
１…ボトル型容器
２…口部
３…肩部
４…胴部
５…底部
１０…指当用凹部
２０…グリップ部
２５…上グリップ部
２６…下グリップ部
【図１】
2018016397.tif 000003
【図２】
2018016397.tif 000004
【図３】
2018016397.tif 000005
【図４】
2018016397.tif 000006
【図５】
2018016397.tif 000007
【図６】
2018016397.tif 000008